(57)【要約】【課題】セルフロックスイッチ、モーメンタリスイッチのいずれとしても機能することができるプッシュ式スイッチにおいて、さらに部品の共用化を図る。【解決手段】ノブ２６は、スイッチ本体１４，１６をそれぞれ押圧する押圧アーム２８，３０を備え、基体部側にスイッチ本体１４，１６のいずれが装着された場合においても、露出部１２が没入側へ押圧されるのに応じてガイドに沿ってスライドし、押圧アーム２８，３０のうちいずれか一方が、それに対応するスイッチ本体１４，１６を押圧する。【選択図】図２
2005166573.tif 000002
【特許請求の範囲】
【請求項１】
外面パネルに設けられた貫通孔から外面に露出する露出部を有するノブと、
前記貫通孔において前記露出部が出没自在となるように前記ノブを進退自在にガイドするガイド部を有する基体部と、
を備えるプッシュ式スイッチにおいて、
前記ノブは、セルフロックスイッチ本体を押圧する第一の押圧部、およびモーメンタリスイッチ本体を押圧する第二の押圧部の双方を有し、前記基体部側にセルフロックスイッチ本体およびモーメンタリスイッチ本体のうちいずれが装着された場合においても、前記露出部が押圧されるのに応じてガイドに沿ってスライドし、
第一または第二の押圧部のうちいずれか一方が、それに対応するスイッチ本体を押圧することを特徴とするプッシュ式スイッチ。
【請求項２】
前記ノブは、前記ガイド部に進退自在に案内されるスライダを有し、
前記スライダは、前記第一の押圧部と第二の押圧部との間に配置されることを特徴とする請求項１に記載のプッシュ式スイッチ。
【請求項３】
前記ノブが、前記第一の押圧部によってセルフロックスイッチ本体を押圧する前の状態においては、ガイドに沿った方向の移動を前記基体部または外面パネルによって規制されない状態で、第一の位置に位置し、
かつ、前記ノブが、前記第二の押圧部によってモーメンタリスイッチ本体を押圧する前の状態においては、前記モーメンタリスイッチ本体から付勢され前記基体部または外面パネルに押しつけられる状態で、ほぼ前記第一の位置に位置するように、
モーメンタリスイッチ本体を装着したときには、前記ノブおよび／または前記基体部もしくは外面パネルに、係止部材が設けられることを特徴とする請求項１または２に記載のプッシュ式スイッチ。
【請求項４】
前記係止部材は、前記基体部または外面パネルに装着されるスペーサであることを特徴とする請求項３に記載のプッシュ式スイッチ。
【発明の詳細な説明】
【技術分野】
【０００１】
本発明は、セルフロックスイッチまたはモーメンタリスイッチとして機能することができるプッシュ式スイッチに関する。
【背景技術】
【０００２】
セルフロックスイッチは、押圧する前の突出状態でＯＦＦとなり、押圧されて引込状態でロックされたときにＯＮとなるスイッチである。また、モーメンタリスイッチは、押圧された引込状態でＯＮ（またはＯＦＦ）となるが付勢されていて押圧操作を解除すると元の突出状態に復帰するスイッチである。従来より、内部のスイッチ本体を交換することで、セルフロックスイッチ、モーメンタリスイッチのどちらとしても機能するように構成されたプッシュ式スイッチが知られている。なお、かかるプッシュ式スイッチでは、スイッチ本体の押圧は所定の部品（ノブ）を介して行われるようになっている（例えば特許文献１）。
【０００３】
【特許文献１】実開平２−１１５２２５号公報
【発明の開示】
【発明が解決しようとする課題】
【０００４】
しかしながら、上記従来のプッシュ式スイッチでは、セルフロックスイッチ専用のノブと、モーメンタリスイッチ専用のノブとがそれぞれ別の部品となっており、内部のスイッチ本体に合わせて、対応するノブを用意しなければならなかった。すなわち、従来のプッシュ式スイッチでは、スイッチ本体を装着しノブをガイドする基体部については共用することができるものの、ノブが別部品となる分、製造の手間やコストが増大していた。そして、それらノブはどちらも同じ基体部に装着可能であるため、スイッチ本体に合わないノブを誤って組み付けてしまうおそれがあった。
【課題を解決するための手段】
【０００５】
本発明にかかるプッシュ式スイッチは、外面パネルに設けられた貫通孔から外面に露出する露出部を有するノブと、上記貫通孔において上記露出部が出没自在となるように上記ノブを進退自在にガイドするガイド部を有する基体部と、を備えるプッシュ式スイッチにおいて、上記ノブは、セルフロックスイッチ本体を押圧する第一の押圧部、およびモーメンタリスイッチ本体を押圧する第二の押圧部の双方を有し、上記基体部にセルフロックスイッチ本体およびモーメンタリスイッチ本体のうちいずれが装着された場合においても、上記露出部が押圧されるのに応じてガイドに沿ってスライドし、第一または第二の押圧部のうちいずれか一方が、それに対応するスイッチ本体を押圧する。
【０００６】
また、上記本発明にかかるプッシュ式スイッチでは、上記ノブは、上記ガイド部に進退自在に案内されるスライダを有し、上記スライダは、上記第一の押圧部と第二の押圧部との間に配置されるのが好適である。
【０００７】
また、上記本発明にかかるプッシュ式スイッチでは、上記ノブが、上記第一の押圧部によってセルフロックスイッチ本体を押圧する前の状態においては、ガイドに沿った方向の移動を上記基体部または外面パネルによって規制されない状態で、第一の位置に位置し、かつ、上記ノブが、上記第二の押圧部によってモーメンタリスイッチ本体を押圧する前の状態においては、上記モーメンタリスイッチ本体から付勢され、上記モーメンタリスイッチ本体から付勢され上記基体部または外面パネルに押しつけられる状態で、ほぼ上記第一の位置に位置するように、モーメンタリスイッチ本体を装着したときには、上記ノブおよび／または上記基体部もしくは外面パネルに、係止部材が設けられるのが好適である。
【０００８】
また、上記本発明にかかるプッシュ式スイッチでは、上記係止部材は、上記基体部または外面パネルに装着されるスペーサであるのが好適である。
【発明を実施するための最良の形態】
【０００９】
以下、本発明の好適な実施形態について図面を参照して説明する。図１は、本実施形態にかかるプッシュ式スイッチ１０の露出部１２を外面パネル１８の外側から見た一例を示す図（斜視図）、図２および図３は、プッシュ式スイッチ１０の要部構成の一例を示す側面図（一部断面図）であり、図２は、セルフロックスイッチ本体１４が装着されたとき、また、図３は、モーメンタリスイッチ本体１６が装着されたときの図である。
【００１０】
図１に示すように、プッシュ式スイッチ１０は、その露出部１２が外面パネル１８に設けられた貫通孔２０から露出するように、外面パネル１８の裏面側に装着される。この露出部１２は、操作者による没入側への押し込みとプッシュ式スイッチ１０による突出側への付勢により、貫通孔２０において出没自在となる。なお、図１は、三つのプッシュ式スイッチ１０が一列に配置された場合の例であるが、このような場合には、それら複数のプッシュ式スイッチ１０については、美観上は、露出部１２の外面パネル１８からの突出長をほぼ同じにするのが望ましい。ただし、内部寸法の調整等により突出長を調整し、プッシュ式スイッチ１０の列あるいは行に沿って、突出長が徐々に長くなったり短くなったりするように配置してもよい。
【００１１】
図２および図３の例では、プッシュ式スイッチ１０は、基板２２、ホルダ２４、ノブ２６からなる。なお、これらのうち、基板２２およびホルダ２４が基体部に相当する。図２および図３に示すように、セルフロックスイッチ本体１４あるいはモーメンタリスイッチ本体１６のいずれか一方が、ホルダ２４の内側の領域で基板２２の表面上に装着され、それぞれ、ノブ２６に形成された対応する押圧アーム２８，３０によって押圧されるようになっている。すなわち、このプッシュ式スイッチ１０は、装着された一のスイッチ本体１４，１６により、セルフロックスイッチ、モーメンタリスイッチのどちらとしても機能することができる。ここで、セルフロックスイッチ本体１４およびモーメンタリスイッチ本体１６の両方を同時に装着することも物理的には可能だが、製造コストの増大を招きかつ操作上の混乱を来すため、そのような使い方は通常行わない。なお、この例では、セルフロックスイッチ本体１４が図の上側、またモーメンタリスイッチ本体１６が図の下側に装着されているが、本発明は、このような配置のものには限定されない。
【００１２】
ノブ２６は、ベースフランジ３２、露出部１２、スライダ３４、および押圧アーム２８，３０を有する。
【００１３】
ベースフランジ３２の外面パネル１８側（表面側）には、丸みを帯びた角柱状の露出部１２が形成されている。上述したように、この露出部１２が、外面パネル１８に形成された貫通孔２０から露出する。
【００１４】
また、ベースフランジ３２の基板２２側（裏面側）には、没入方向に向けて伸びる棒状の二つの押圧アーム２８，３０が互いに略平行となるように形成されている。図２および図３では、露出部１２が右側（露出側）から左側（没入側）に向けて押し込まれると、押圧アーム２８，３０が没入側に移動してスイッチ本体１４，１６を押圧する。押圧アーム２８は、セルフロックスイッチ本体１４を押圧し、また押圧アーム３０はモーメンタリスイッチ本体１６を押圧する。なお、これら押圧アーム２８，３０の配置や形状は、対応するスイッチ本体１４，１６のスペック（大きさ、ストローク、配置、内部の機構等）に合わせて決定される。
【００１５】
スライダ３４は、ホルダ２４に設けられたガイド部としての溝状のガイドレール３６に、移動自在に案内されており、これによりノブ２６がガイド方向に進退自在となり、ひいては露出部１２が貫通孔２０において出没自在となる。なお、この例では、ガイドレール３６は凹形断面、それに嵌合するスライダ３４は凸形断面を有しているが、これはあくまでも一例に過ぎず、ノブ２６の進退動作が、このような形状以外のガイド部およびスライダによっても実現可能であることは容易に理解できよう。
【００１６】
さて、この例では、スライダ３４は、二つの押圧アーム２８，３０の中間に位置している。スイッチ本体１４，１６を押圧する押圧アーム２８，３０とスライダ３４との距離が長いと、それが短い場合に比べて、スライダ３４が移動する際の抵抗力（スライダ３４とガイドレール３６との傾きに伴う抵抗力）が大きくなる。この例では、どちらの押圧アーム２８，３０が機能する場合にも、その押圧アーム２８，３０とスライダ３４との距離が比較的短くなるから、スライダ３４すなわちノブ２６の移動に伴う抵抗力が比較的小さく抑えられ、露出部１２の押圧操作力が小さくなったり、また摺動部の摩耗が減るなど耐久性が向上したりするという効果が得られる。なお、例えばホルダ２４の側壁内面をガイド部として、スライダをそのガイド部に合わせて複数の板状あるいは筒状に形成し、当該スライダの内側に二つの押圧アーム２８，３０を収納するという構成によっても同様の効果が得られる。ただし、図２および図３に例示する構成の方が、ノブ２６ひいてはプッシュ式スイッチ１０全体は、より小型化することができる。
【００１７】
さて、セルフロックスイッチは、突出側および没入側の二箇所で位置決めされるものであるから、各位置で押圧力が加わると誤動作する可能性がある。そこで、図２に示すように、セルフロックスイッチ本体１４が装着されたときには、押し込み前の状態（すなわち突出側の位置）では、ノブ２６が基体部側と係合して没入側に押し込まれることがないよう、各部の寸法が決定される。図２の例では、突出側の位置で、ベースフランジ３２の表面と外面パネル１８の筒状当接部１８ｅの端面との間が所定の間隔δ１となるように、各部の寸法が決定されている。なお、この押圧アーム２８は、セルフロックスイッチ本体１４の可動部（図示せず）に固定されており、突出側の位置からさらに突出側に移動することはない。
【００１８】
一方、モーメンタリスイッチは、没入側のみで位置決めされればよいから、ノブ２６が突出側にあるときに没入側に多少押し込まれていても構わない。むしろ、その姿勢を安定化させるため、突出側の位置では、ノブ２６が、モーメンタリスイッチ本体１６から突出方向に付勢され、基体部側（図３の例では外面パネル１８の筒状当接部１８ｅ）または外面パネル１８側に押し付けられるようにするのが好適である。
【００１９】
このため、露出部１２の外面パネル１８からの突出長は、図３の場合（すなわちモーメンタリスイッチとして機能する場合）の方が、図２の場合（すなわちセルフロックスイッチとして機能する場合）より、上記間隔δ１の分だけ長くなる。これは、上述したように、突出側の位置で、ノブ２６と基体部側とを当接させるか否かの違いによるものである。
【００２０】
ここで、図１のようにプッシュ式スイッチ１０が複数配置される場合に、セルフロックスイッチとして機能するものと、モーメンタリスイッチして機能するものとが隣接して配置されると、それらの間で露出部１２の突出長が異なるから、露出部１２の上面に段差が生じ、美観上好ましくない状態となる。
【００２１】
そこで、ノブ２６および／または基体部（ホルダ２４）もしくは外面パネル１８に設けた係止部材により、モーメンタリスイッチとして機能する場合（すなわちモーメンタリスイッチ本体１６を装着した場合）における突出側のノブ２６位置を、図３の場合よりも没入側の位置とし、図２の場合の突出側の位置（これが本発明における第一の位置に相当する）とほぼ同じになるようにするのが好適である。
【００２２】
図４は、この係止部材としてスペーサ３８を設けたプッシュ式スイッチ１０（ただしモーメンタリスイッチとして機能する場合）の一例を示す側面図（一部断面図）である。スペーサ３８は、有底の筒形状をなし、その底板に露出部１２を貫通させる貫通孔３８ａを有しており、外面パネル１８の筒状当接部１８ｅに嵌め込まれることで、底板の厚みの分、ノブ２６の突出側位置は没入側に移動することになる。このため、底板の厚みを上記間隔δ１に設定すれば、セルフロックスイッチとして機能する場合とモーメンタリスイッチとして機能する場合とで、ノブ２６の突出側の位置がほぼ同じとなり、図１のように複数のプッシュ式スイッチ１０が近接配置される場合に、セルフロックスイッチとモーメンタリスイッチとを混在させても、露出部１２の突出長はほぼ等しくなり、美観が向上する。なお、スペーサ３８は、モーメンタリスイッチとして機能する場合にのみ用いるのが好適であるが、これに替えて、セルフロックスイッチとして機能させる場合には薄いスペーサを用い、またモーメンタリスイッチとして機能させる場合には厚いスペーサを用いるようにしても、同様の効果が得られる。また、上記スペーサ３８はあくまで一例であって、他の形状としてもよいし、ホルダ２４やノブ２６等の他の部位に装着するようにしてもよい。
【００２３】
図５は、本発明の別の実施形態にかかるプッシュ式スイッチ１０ａの一例を示す側面図（一部断面図）である。この例は、モーメンタリスイッチとして機能する場合において、突出側の位置にあるノブ２６が、外面パネル１８に当接するのではなく、ホルダ４０の係止部材４０ａに当接するようにしたものである。この場合も、図２および図３に示したものと同様の効果が得られる。
【図面の簡単な説明】
【００２４】
【図１】本発明の実施形態にかかるプッシュ式スイッチの一例を示す外観図（斜視図）である。
【図２】本発明の実施形態にかかるプッシュ式スイッチの要部構成の一例を示す側面図（一部断面図）であり、セルフロックスイッチ本体が装着された場合の図である。
【図３】本発明の実施形態にかかるプッシュ式スイッチの要部構成の一例を示す側面図（一部断面図）であり、モーメンタリスイッチ本体が装着された場合の図である。
【図４】係止部材としてスペーサを設けた本発明の実施形態にかかるプッシュ式スイッチの要部構成の一例を示す側面図（一部断面図）であり、モーメンタリスイッチ本体が装着された場合の図である。
【図５】本発明の別の実施形態にかかるプッシュ式スイッチの要部構成の一例を示す側面図（一部断面図）であり、モーメンタリスイッチ本体が装着された場合の図である。
【符号の説明】
【００２５】
１０，１０ａ  プッシュ式スイッチ、１２  露出部、１４  セルフロックスイッチ本体、１６  モーメンタリスイッチ本体、１８  外面パネル、１８ｅ  筒状当接部、２０  貫通孔、２２  基板、２４  ホルダ、２６  ノブ、２８  （第一の）押圧アーム、３０  （第二の）押圧アーム、３２  ベースフランジ、３４  スライダ、３６  ガイドレール、３８  スペーサ、３８ａ  貫通孔、４０  ホルダ、４０ａ  係止部材。
【図１】
2005166573.tif 000003
【図２】
2005166573.tif 000004
【図３】
2005166573.tif 000005
【図４】
2005166573.tif 000006
【図５】
2005166573.tif 000007